(57)【要約】【課題】燃焼用ガス等の気体が流れる配管中に設けられるガス遮断装置に関し、温度が正常に戻れば再びガス流路を確保できるガス遮断装置を提供することを目的とする。【解決手段】ガス流路中に設けられる遮断弁８と、閾値温度以上でガス流路を閉鎖し、閾値温度以下でガス流路を開放するように遮断弁８を動作させる弁動作機構（１０，１２）とを備えるように構成する。【選択図】　　図１
2004092852.tif 000002
【特許請求の範囲】
【請求項１】
ガス流路中に設けられる遮断弁と、
閾値温度以上で前記ガス流路を閉鎖し、前記閾値温度以下で前記ガス流路を開放するように前記遮断弁を動作させる弁動作機構と
を備えたことを特徴とするガス遮断装置。
【請求項２】
請求項１記載のガス遮断装置において、
前記弁動作機構は、形状記憶合金を有していること
を特徴とするガス遮断装置。
【請求項３】
請求項１記載のガス遮断装置において、
前記弁動作機構は、バイメタルを有していること
を特徴とするガス遮断装置。
【発明の詳細な説明】
【０００１】
【発明の属する技術分野】
本発明は、燃焼用ガス等の気体が流れる配管中に設けられるガス遮断装置に関する。
【０００２】
【従来の技術】
特開平６−１２３３７２号公報には、火災時におけるガスの緊急遮断装置が開示されている。これは、ガス流路内にハンダで固定された緊急遮断弁を組み込み、火災時にハンダが溶融して緊急遮断弁が切り離されて弁シートに密着してガスを遮断するようになっている。なお、ハンダに代えて形状記憶合金やバイメタルを用いる例も開示されている。
【０００３】
【発明が解決しようとする課題】
しかしながら、上記技術には、一旦切り離された緊急遮断弁を元の状態に復帰させる方法についてなんら開示がなく、温度が正常に戻っても弁を開放してガス流路を確保することができないという問題を有している。このため、一度緊急遮断弁が動作した場合には、ガス遮断装置を取り替えなければならず、維持コストがかかるという問題が生じている。
【０００４】
本発明は上記課題を解決するためになされたもので、温度が正常に戻れば再びガス流路を確保できるガス遮断装置を提供することを目的とする。
【０００５】
【課題を解決するための手段】
上記目的は、ガス流路中に設けられる遮断弁と、閾値温度以上で前記ガス流路を閉鎖し、前記閾値温度以下で前記ガス流路を開放するように前記遮断弁を動作させる弁動作機構とを備えたことを特徴とするガス遮断装置によって達成される。
【０００６】
上記本発明のガス遮断装置において、前記弁動作機構は、形状記憶合金あるいはバイメタルを有していることを特徴とする。
【０００７】
【発明の実施の形態】
本発明の一実施の形態によるガス遮断装置について図１および図２を用いて説明する。図１は本実施の形態によるガス遮断装置の概略構造を示している。図１に示すように、ガス流入側のガス流路を構成する配管２とガス流出側のガス流路を構成する配管６との間に、ガス遮断装置１が設けられている。
【０００８】
ガス遮断装置１はハウジング４を有し、ハウジング４内には遮断弁８と弁動作機構（１０、１２）とが収納されている。
【０００９】
ハウジング４は、例えば円筒形内側壁を有しており、円筒形内側壁の上下部は円錐状になって、それぞれ配管２、６に接続されている。ハウジング４の円筒形側壁下方の円錐状部は、温度上昇時に下降した遮断弁８を受ける弁座１４として機能するようになっている。
【００１０】
遮断弁８は、例えば球形の金属製構造物であり、弁座１４上に置かれると弁座１４に密着してガス流路をほぼ完全に遮断することができるようになっている。
【００１１】
弁動作機構（１０、１２）は、ハウジング４の円筒形内側壁から突出した片持ち梁構造の弁支持部１２と、弁支持部１２先端部から伸びて遮断弁８表面の一箇所に接続する接続部１０とを有している。本例では、接続部１０は紐状部材を用いている。
【００１２】
弁支持部１２は、形状記憶合金やバイメタルで構成され、閾値温度以下では配管２、６の管軸にほぼ直交する直線形状で、先端部が配管２、６の管軸にほぼ一致するように維持される。これにより、遮断弁８は重心位置が配管６の軸にほぼ一致した状態で弁座１４の上方の所定空中位置に保持されてガス流路を開放している。
【００１３】
図２は、本実施の形態によるガス遮断装置１によりガス流路を遮断した状態を示している。図２に示すように、弁動作機構（１０、１２）は、閾値温度（例えば、２００℃程度）以上でガス流路を閉鎖するように遮断弁８を動作させる。具体的には、閾値温度以上になると弁支持部１２は、片持ち梁の先端部が鉛直下方に下がるように片持ち梁に曲げを生じさせる。これにより片持ち梁先端部の接続部１０と共に遮断弁８は鉛直下方に下降して弁座１４に密着してガス流路をほぼ完全に遮断する。
【００１４】
次に、再び周囲温度が閾値温度以下になると、弁支持部１２は、配管２、６の管軸にほぼ直交する直線形状で、先端部が配管２、６の管軸にほぼ一致する元の形状に戻る。これにより、遮断弁８は重心位置が配管６の軸にほぼ一致した状態で弁座１４の上方の所定空中位置まで上昇させられてガス流路を開放する。
【００１５】
このように、弁動作機構（１０、１２）は、閾値温度以上でガス流路を閉鎖し、閾値温度以下でガス流路を開放するように遮断弁８を動作させるようになっている。
【００１６】
以上説明したように本実施の形態によれば、温度が正常に戻れば弁を開放してガス流路を確保することができるようになる。このため、遮断弁が動作してもガス遮断装置を取り替える必要がなく、繰り返し使用できるので維持コストを低減できる。
【００１７】
本発明は上記実施の形態に限らず種々の変形が可能である。
例えば、上記実施の形態では遮断弁８の外形を球形としたが、本発明はこれに限られない。例えば、弁座１４の形状との組み合わせにより種々の外形形状を取ることができる。例えば、弁座１４の形状は上記実施の形態と同一にして、遮断弁８の外形を楕円体や錐体にしてももちろんよい。またあるいは、弁座１４側に凸の曲面を有する板状部材で遮断弁８を構成してもよい。
【００１８】
また、上記実施の形態では、弁支持部１２はハウジング４の円筒形内側壁から突出した片持ち梁構造としているが、本発明はこれに限られない。ハウジング４の円筒形内側壁から複数の片持ち梁構造を突出させた構造でもよいし、両端支持梁構造としてももちろんよい。また、非直線状の梁構造でもよく、また、閾値温度以下で配管２、６の管軸に直交しない形状であってももちろんよい。
【００１９】
また、上記実施の形態では弁支持部１２と遮断弁８との間の接続部１０に紐状部材を用いている。この紐状部材を上記閾値温度以上の所定の温度（例えば４００℃程度）で溶融する材質で形成すれば、異常高温時に接続部１０を切断して遮断弁８を弁支持部１２から分離して、遮断弁８に配管２からの流入ガスの背圧をかけて完全に閉塞することも可能である。但し、この場合には閾値温度以下になっても遮断弁８は元の位置に復帰しない。
【００２０】
また、上記実施の形態のハウジング４の形状は一例であり、他の種々の形状を取ることができる。また、接続部１０は紐状部材以外に他の種々の形状構造の部材を用いることができる。
【００２１】
【発明の効果】
以上のように本発明によれば、温度が正常に戻れば再びガス流路を確保できるガス遮断装置を実現できる。
【図面の簡単な説明】
【図１】本発明の一実施の形態によるガス遮断装置の概略構成を示す図である。
【図２】本発明の一実施の形態によるガス遮断装置の動作状態を示す図である。
【符号の説明】
１　ガス遮断装置
２　配管
４　ハウジング
６　配管
８　遮断弁
１０　接続部
１２　弁支持部
１４　弁座
【図１】
2004092852.tif 000003
【図２】
2004092852.tif 000004